(57)【特許請求の範囲】
【請求項１】
第一案内用ロープの一端を先頭にして該第一案内用ロープを飛ばし、該第一案内用ロープを倒木に引っ掛ける工程と、
第一案内用ロープの他端部に、線材の両端部に環状部を有する巻き付け部材の一方の環状部を連結するとともに、巻き付け部材の他方の環状部に第二案内用ロープを挿通する工程と、
倒木に引っ掛けられた第一案内用ロープの一端側を引っ張って、巻き付け部材を作業者の手元に配置する工程と、
第二案内用ロープの両端部を巻き付け部材の一方の環状部に挿通する工程と、
第二案内用ロープの両端部を引っ張って、巻き付け部材の一方の環状部から他方の環状部及び第二案内用ロープを引き出して、巻き付け部材を倒木に巻き付ける工程と、
倒木に巻き付けられた巻き付け部材の他方の環状部に挿通された第二案内用ロープの一端部に、牽引用ロープが取り付けられたフックを連結する工程と、
第二案内用ロープの他端側を引っ張ってフックを引き上げて、倒木に巻き付けられた巻き付け部材の他方の環状部にフックを連結する工程とを備えることを特徴とする倒木に対する牽引用フックの取付方法。
【請求項２】
前記フックを連結する工程は、フックの先端部に設けられた引っ掛け部に第二案内用ロープの一端部を引っ掛けるようにしたことを特徴とする請求項１に記載の倒木に対する牽引用フックの取付方法。
【発明の詳細な説明】
【技術分野】
【０００１】
本発明は、倒木を移動させるための牽引用フックを倒木に取り付ける倒木に対する牽引用フックの取付方法に関する。
【背景技術】
【０００２】
一般的に、電柱や架線に寄りかかる倒木は送電に支障をきたすため、電柱や架線から引き離す必要がある。
【０００３】
このように、倒木を引き離すに当たり、牽引用フックが倒木に取り付けられ、牽引用フックに繋がるロープを引っ張る。倒木に対する牽引用フックの取付方法としては、例えば、倒木に操作棒の先端に取り付けられた牽引用フックを引っ掛けている（例えば、特許文献１参照）。
【先行技術文献】
【特許文献】
【０００４】
【特許文献１】特開２００６−２０５２８号公報
【発明の概要】
【発明が解決しようとする課題】
【０００５】
ところで、倒木の上部に牽引用フックを取り付けるためには、作業者が高所作業車のバケットに乗って倒木の上部に近づかないといけないが、山間部においては高所作業車を使用することができない。この場合、作業者は、バケットに乗って倒木の上部に近寄ることができないため、倒木に牽引用フックを容易に取り付けることができず、倒木の周囲を伐採して、倒木に梯子をかけてフックを取り付けている。このように、山間部においては、倒木の移動に多大の労力と時間を要する、という問題がある。
【０００６】
そこで、本発明は、上記課題に鑑み、作業者が近寄れない倒木を移動できる倒木に対する牽引用フックの取付方法を提供することを目的とする。
【課題を解決するための手段】
【０００７】
本発明に係る倒木に対する牽引用フックの取付方法は、第一案内用ロープの一端を先頭にして該第一案内用ロープを飛ばし、該第一案内用ロープを倒木に引っ掛ける工程と、第一案内用ロープの他端部に、線材の両端部に環状部を有する巻き付け部材の一方の環状部を連結するとともに、巻き付け部材の他方の環状部に第二案内用ロープを挿通する工程と、倒木に引っ掛けられた第一案内用ロープの一端側を引っ張って、巻き付け部材を作業者の手元に配置する工程と、第二案内用ロープの両端部を巻き付け部材の一方の環状部に挿通する工程と、第二案内用ロープの両端部を引っ張って、巻き付け部材の一方の環状部から他方の環状部及び第二案内用ロープを引き出して、巻き付け部材を倒木に巻き付ける工程と、倒木に巻き付けられた巻き付け部材の他方の環状部に挿通された第二案内用ロープの一端部に、牽引用ロープが取り付けられたフックを連結する工程と、第二案内用ロープの他端側を引っ張ってフックを引き上げて、倒木に巻き付けられた巻き付け部材の他方の環状部にフックを連結する工程とを備えることを特徴とする。
【０００８】
かかる構成によれば、作業者は、作業者の位置から第一案内用ロープの一端を先頭にして、該第一案内用ロープを倒木の上方に向かって飛ばし、第一案内用ロープを倒木に引っ掛ける。そうすることで、第一案内用ロープの一端側は倒木に引っ掛かって垂れ下がり、作業者の手元にくる。一方、第一案内用ロープの他端側は垂れ下がった状態で作業者の手元に残る。そして、作業者は、手元にある第一案内用ロープの他端部に、巻き付け部材の一方の環状部を連結するとともに、巻き付け部材の他方の環状部に第二案内用ロープを挿通する。
【０００９】
つぎに、作業者は、倒木に引っ掛けられて垂れ下がった第一案内用ロープの一端側を引っ張って、倒木を超えて巻き付け部材を自分の手元に引き寄せる。これによって、第二案内用ロープの両端側と巻き付け部材の一方の環状部が作業者の手元にくる。そして、作業者は、巻き付け部材の一方の環状部に第二案内用ロープの両端部を挿通する。これによって、第二案内用ロープが倒木に巻き掛けられて輪状部が形成される。つぎに、作業者は、第二案内用ロープの両端部を引っ張ることで、輪状部が絞られて、結果的に、巻き付け部材の一方の環状部から他方の環状部及び第二案内用ロープが挿通されて引き出される。これにより、作業者は、倒木に近寄ることなく巻き付け部材を倒木に巻き付けできるようになる。
【００１０】
倒木に巻き付け部材が巻き付けられると、巻き付け部材の他方の環状部に挿通された第二案内用ロープの両端が垂れ下がり、作業者の手元にくるようになる。つぎに、作業者は、第二案内用ロープの一端部に、牽引用ロープが取り付けられたフックを連結し、第二案内用ロープの他端側を引っ張ってフックを引き上げる。そうすることで、フックは、巻き付け部材の他方の環状部に近づいて連結される。これにより、作業者は、倒木に近寄ることなく巻き付け部材の他方の環状部にフックを容易に連結できるようになる。
【００１１】
また、本発明の倒木に対する牽引用フックの取付方法の一態様として、前記フックを連結する工程は、フックの先端部に設けられた引っ掛け部に第二案内用ロープの一端部を引っ掛けるようにすることが好ましい。
【００１２】
かかる構成によれば、作業者は、フックの先端部に設けられた引っ掛け部に第二案内用ロープの一端側を引っ掛ける。そうすると、フックは、その先端が上向きになるように吊り下げられる。この状態で、第二案内用ロープの他端側をさらに引っ張ると、フックの先端が巻き付け部材の他方の環状部に引っ掛けられて連結される。これにより、作業者は、倒木に近寄ることなく巻き付け部材の他方の環状部にフックを連結できるようになる。
【発明の効果】
【００１３】
以上のように、本発明によれば、作業者が近寄れない倒木を移動できる、といった優れた効果を奏し得る。
【図面の簡単な説明】
【００１４】
【図１】図１は、本実施形態に係る倒木に対する牽引用フックの取付方法に使用されるリール装置を示す図である。
【図２】図２は、同実施形態に係る倒木に対する牽引用フックの取付方法に使用される巻き付け部材を示す図である。
【図３】図３は、巻き付け部材に連結される牽引部材の牽引用フックを示す図である。
【図４】図４は、同実施形態に係る倒木に対する牽引用フックの取付方法を説明する図であり、第一案内用ロープを倒木の上部に引っ掛けた状態を示す図である。
【図５】図５は、同実施形態に係る倒木に対する牽引用フックの取付方法を説明する図であり、第一案内用ロープの一端部に巻き付け部材の一方の環状部を連結するとともに、巻き付け部材の他方の環状部に第二案内用ロープを挿通した状態を示す図である。
【図６】図６は、同実施形態に係る倒木に対する牽引用フックの取付方法を説明する図であり、第一案内用ロープの一端側を引っ張って、巻き付け部材を作業者の手元に配置した状態を示す図である。
【図７】図７は、同実施形態に係る倒木に対する牽引用フックの取付方法を説明する図であり、巻き付け部材を倒木の上部に巻き付けた状態を示す図である。
【図８】図８は、同実施形態に係る倒木に対する牽引用フックの取付方法を説明する図であり、牽引部材のフックを倒木の上部に引き上げた状態を示す図である。
【図９】図９は、同実施形態に係る倒木に対する牽引用フックの取付方法を説明する図であり、牽引部材のフックを巻き付け部材の他方の環状部に連結した状態を示す図である。
【発明を実施するための形態】
【００１５】
本発明の実施形態に係る倒木に対する牽引用フックの取付方法について図１〜図９を参照して説明する。なお、本実施形態においては、山間部における倒木に対する牽引用フックの取付方法について説明する。
【００１６】
まず、本実施形態に係る倒木に対する牽引用フックの取付方法に使用されるリール装置、巻き付け部材、牽引部材について図１〜図３を参照して説明する。
【００１７】
図１に示す如く、リール装置１は、回転可能に支持されたリール本体１０と、該リール本体１０に巻回された第一案内用ロープ２であって、一端部に錘２０が取り付けられた第一案内用ロープ２とを備える。
【００１８】
図２に示す如く、巻き付け部材３は、線材３０と、該線材３０の両端部に取り付けられた環状部３１，３１とを有する。また、両環状部３１，３１には、それぞれの内部にシンブル３２が挿入されている。
【００１９】
図３に示す如く、牽引部材４は、牽引用ロープ４０と、牽引用ロープ４０の一端部に連結具４００を介して取り付けられた鉤状の牽引用フック４１（以下、単にフック４１という。）とを備える。なお、連結具４００を介さずに、牽引用ロープ４０とフック４１とを直接連結するようにしてもよい。
【００２０】
フック４１には、該フック４１の基端部に回動可能に支持されるとともに、フック４１の先端部に対して接離可能な係止体４２であって、フック４１の基端部と先端部との間に形成される開口４１ａに対して閉方向に弾性付勢された係止体４２と、係止体４２の先端部に両端部が回動可能に支持された環状の操作部材４３と、フック４１の先端部の外面に配置され、フック４１とは逆方向に湾曲した引っ掛け部４４とが設けられる。該引っ掛け部４４は、弾性部材（図示せず）によって、フック４１の先端部の外面に向かって付勢され、フック４１の先端部の外面に対して接離するようになっている。
【００２１】
つぎに本実施形態に係る倒木に対する牽引用フックの取付方法について図４〜図９を参照して説明する。まず、図４に示す如く、倒木Ａの上方に向けて、第一案内用ロープ２の一端を先頭にして該第一案内用ロープ２を飛ばす。具体的には、第一案内用ロープ２の錘２０を先頭にして該第一案内用ロープ２を遠投し、倒木Ａの上部に第一案内用ロープ２を引っ掛ける。そうすることで、第一案内用ロープ２の一端側は倒木Ａに引っ掛かって垂れ下がり、作業者Ｂの手元にくる。一方、第一案内用ロープ２の他端側は垂れ下がった状態で作業者Ｂの手元に残る。
【００２２】
そして、図５に示す如く、作業者Ｂは、手元にある第一案内用ロープ２の他端部に、巻き付け部材３の一方の環状部３１を連結するとともに、巻き付け部材３の他方の環状部３１に第二案内用ロープ５を挿通する。
【００２３】
つぎに、図６に示す如く、作業者Ｂは、倒木Ａに引っ掛けられて垂れ下がった第一案内用ロープ２の一端側を引っ張って、巻き付け部材３を自分の手元に引き寄せる。これによって、第二案内用ロープ５の両端側と巻き付け部材３の一方の環状部３１が作業者Ｂの手元にくる。そして、作業者Ｂは、巻き付け部材３の一方の環状部３１に第二案内用ロープ５の両端部を挿通する。これによって、第二案内用ロープ５が倒木Ａに巻き掛けられて輪状部が形成される。
【００２４】
つぎに、作業者Ｂは、第二案内用ロープ５の両端部を引っ張ることで、輪状部が絞られて、結果的に、図７に示す如く、巻き付け部材３の一方の環状部３１から他方の環状部３１及び第二案内用ロープ５が挿通されて引き出される。これにより、作業者Ｂは、倒木Ａに近寄ることなく巻き付け部材３を倒木Ａに巻き付けできるようになる。
【００２５】
そして、倒木Ａの上部に巻き付け部材３が巻き付けられると、倒木Ａの上部に巻き付けられた巻き付け部材３の他方の環状部３１によって、作業者Ｂの位置から倒木Ａの上部に牽引部材４のフック４１を連結できる連結部を形成することができる。
【００２６】
したがって、倒木Ａに巻き付け部材３が巻き付けられると、巻き付け部材３の他方の環状部３１に挿通された第二案内用ロープ５の両端が垂れ下がり、作業者Ｂの手元にくるようになる。
【００２７】
つぎに、図８に示す如く、作業者Ｂは、第二案内用ロープ５の一端部に、牽引用ロープ４０が取り付けられたフック４１を連結し、第二案内用ロープ５の他端側を引っ張ってフック４１を引き上げる。そうすることで、フック４１は、巻き付け部材３の他方の環状部３１に近づいて連結される。これにより、作業者Ｂは、倒木Ａに近寄ることなく巻き付け部材３の他方の環状部３１にフック４１を容易に連結できるようになる。
【００２８】
なお、巻き付け部材３の他方の環状部３１に対してフック４１の連結しにくい場合は、伸縮式操作棒（図示せず）のロッドを伸長して、伸長したロッドの先端部を引っ張り部材４３に引っ掛けて、引っ張り部材４３を弾性に抗して引っ張り、係止体４２の先端部をフック４１の先端部から離脱させて、フック４１の開口４１ａを開放する。この状態で、巻き付け部材３の一方の環状部３１にフック４１を引っ掛ける。
【００２９】
つぎに、図９に示す如く、第二案内用ロープ５を引っ掛け部４４から取り外して、牽引用ロープ４０を作業者Ｂの位置から引っ張って、倒木Ａを移動させて架線Ｃから引き離す。
【００３０】
このように、本実施形態に係る倒木に対する牽引用フックの取付方法によれば、作業者Ｂの位置から２つの案内用ロープ２，５を用いて巻き付け部材３を倒木Ａに取り付けるとともに、巻き付け部材３にフック４１を付けることで、作業者Ｂが近寄れない倒木Ａを移動することができる。
【００３１】
なお、本発明に係る倒木に対する牽引用フックの取付方法は、前記実施形態に限定することなく種々変更することができる。
【００３２】
また、前記実施形態の場合、一端部に錘２０の付いた第一案内用ロープ２を倒木Ａの上方に向けて飛ばすようにしたが、錘２０のない第一案内用ロープ２の一端を飛び道具を用いて倒木Ａの上方に向けて飛ばすようにしてもよい。
【符号の説明】
【００３３】
１…リール装置、２…第一案内用ロープ、３…巻き付け部材、３０…巻き付け部材の線材、３１…巻き付け部材の環状部、４…牽引部材、４０…牽引用ロープ、４１…牽引用フック、４４…引っ掛け部、５…第二案内用ロープ、Ａ…倒木、Ｂ…作業者
【図１】
0005886373.tif 000002
【図２】
0005886373.tif 000003
【図３】
0005886373.tif 000004
【図５】
0005886373.tif 000005
【図６】
0005886373.tif 000006
【図７】
0005886373.tif 000007
【図８】
0005886373.tif 000008
【図９】
0005886373.tif 000009
【図４】
0005886373.tif 000010